(57)【要約】この実用新案は、暖房空間が限定されていたり、暖房スピードが遅かったり、構造が複雑だったりという旧来品の弱点を補うことのできる電気暖房装置に関する。暖房装置は反射板と反らせ板を備え、反射板の放射により部屋をすぐに暖めることができる。部屋全体の温度は反らせ板による垂直対流により上昇する。この実用新案は簡単でかさばらない構造を備え、軽くて安価である。
2004526114.tif 000002
【特許請求の範囲】
【請求項１】
本体（１）を備え、その中に発熱体（１１）および反射器（１４）が配置された電気暖房機であって、反射器（１４）の反射面が発熱体（１１）に向けて配置され、本体（１）内に耐熱材料で製造された放射伝導性シート（１２）があり、発熱体（１１）が間隔をおいて並べられ、かつ放射伝導性シート（１２）に開けられた穴（１９）を通過することを特徴とする電気暖房機。
【請求項２】
穴（１９）の内径が発熱体（１１）の外径より大きく、穴（１９）の内縁と発熱体（１１）の外縁との間に常に空間があることを特徴とする、請求項１に記載の電気暖房機。
【請求項３】
発熱体（１１）が赤外線発熱体であるか、あるいはハロゲン発熱体、または電気エネルギーを熱に変換する他の発熱体であることを特徴とする、請求項１に記載の電気暖房機。
【請求項４】
放射伝導性シート（１２）に開けられた穴（１９）が円形封止または非封止のスロットであることを特徴とする、請求項１に記載の電気暖房機。
【請求項５】
本体（１）に溝があり、放射伝導性シート（１２）が反射器（１４）の開口を通過することを特徴とする、請求項１に記載の電気暖房機。
【請求項６】
放射伝導性シート（１２）がリンクロッド（１３）に接続され、リンクロッド（１３）が本体（１）に固定されることを特徴とする、請求項１に記載の電気暖房機。
【発明の詳細な説明】
【０００１】
【考案の属する技術分野】
この実用新案は暖房装置に関し、特に屋内で使用する電気暖房機に関する。
【０００２】
【従来の技術】
人々の生活水準が着実に向上するにつれて、ますます多くの家庭が電気暖房機を使用するようになっている。既存の電気暖房機は、本体および主に２種類の構造形態を持つ発熱体を備えている。
【０００３】
１つは本体内に配置された反射器を有し、それが発熱体によって生成された熱エネルギーを放射して特定の空間を加熱して暖める。この種の一部の電気暖房機は、本体内にファンを有する。この種の形態の電気暖房機は、局所的空間の温度しか上昇させることができない。暖房機のスイッチをしばらく入れていると、たとえ局所的空間の温度が非常に高くても、同じ部屋の他の部分の空間温度の上昇は依然として非常に限定される。加熱された局所的空間から部屋の他の部分に行くと、人々は依然として寒く感じる。この種の形態の電気暖房機は限定された空間しか加熱できず、熱効果が低いため、多くの熱エネルギーが浪費される。
【０００４】
別の種類は本体内にカラムを有する。カラム内には中空空間がある。中空空間には熱伝導性の油が充填される。加熱される熱伝導性の油は浮上するので、発熱体によって生成された熱エネルギーは、カラム内で熱の循環を発生させる。電気暖房機の頂部からのカラム間の対流の作用により、大量の熱が部屋の空気中に出て行き、部屋の温度が要求される温度まで上昇する。しかし、この形態では、電気暖房機はゆっくり暖める。スイッチを入れた後、人々が暖かく感じることができるには、長い時間がかかる。しかもその構造は複雑で、大きく、かつ重く、動かすのが難しい。カラムは熱伝導性の油が充填され、高い気密封止が要求されるので、これらの電気暖房機は製造コストが高くなる。
【０００５】
【考案が解決しようとする課題】
この実用新案は上述の問題を解決する。
【０００６】
【課題を解決するための手段】
この実用新案は、本体を備え、その中に発熱体および反射器が配置された電気暖房機に関する。反射器の反射面は発熱体に向けて配置される。本体には耐熱材料で製造された放射伝導性シートがある。発熱体は間隔をおいて並べられ、放射伝導性シートに開けられた穴を通過する。
【０００７】
この実用新案には反射器が配置されるので、反射器の放射によって、この実用新案は特定の空間を素早く暖房することができる。しかも、この実用新案には耐熱材料で製造された放射伝導性シートが配置されるので、空気は暖められると上昇し、冷やされると下降する原理により、電気暖房機内の空気は対流し始め、垂直方向に熱を交換する。絶え間ない熱循環は、室内の空気を暖め、部屋全体の空間温度を上昇させる。
【０００８】
【考案の実施の形態】
以下で、発明の幾つかの実施形態を例として図示する添付の図面を参照しながら、実用新案をさらに詳しく説明する。
【０００９】
【実施例】
利用例１
この実用新案は、本体１を備え、その中に発熱体１１および反射器１４が配置された電気暖房機に関する。発熱体１１は赤外線発熱体とするか、あるいはハロゲン発熱体とするか、あるいは電気エネルギーを熱に変換する他の発熱体とすることができる。本体１は左側カバー２、右側カバー３、上部カバー４、および下部カバー５を含む。反射器１４の反射面は発熱体に向けて配置される。本体内には耐熱材料で製造された放射伝導性シート１２がある。耐熱材料はステンレス鋼、銅、アルミニウム、耐熱非金属等とすることができる。リンクロッド１３は、図５に示すように、放射伝導性シート１２を貫通して通過し、リンクロッド１３の両端は左および右側カバー２および３にボルト接続され、したがって放射伝導性シート１２は、図３および図４に示すように、本体１に固定される。発熱体１１は間隔をおいて並べられ、放射伝導性シート１２に開けられた穴１９を通過する。穴１９の内径は発熱体１１の外径より大きい。穴１９の内縁と発熱体１１の外縁との間には常に約０．５ｍｍ〜５ｍｍの空間がある。穴１９と発熱体１１との間の空間は、高温の膨張した放射伝導性シートによって生じる損傷を回避して、発熱体１１を正常に作動させるだけでなく、充分な垂直方向の対流を生じさせる。放射伝導性シート１２は矩形または本体１の形状に適合する他の形状にすることができ、不規則形状にすることさえもできる。放射熱および垂直方向対流を強化するために、放射伝導性シート１２に様々な分流溝および起伏を設けることができる。
【００１０】
また、図１および図４には、使用者が不注意で高温の暖房機に接触するのを防止するために、金属製保護ネットおよびメッシュ１もある。
【００１１】
利用例２
本体１に溝がある。反射器１４の開口に通された放射伝導性シート１２は、本体１の溝に挿入され、リンクロッド１３無しに本体に固定される。他の構造は利用例１と同一である。
【００１２】
利用例３
放射伝導性シート１２に開けられた穴１９は、円形の封止または非封止スロットとすることができる。他の構造は利用例１と同一である。
【図面の簡単な説明】
【図１】本実用新案に係る電気暖房機の立体図である。
【図２】本実用新案の内部構造を示す図である。
【図３】図２のＢ方向の側面図である。
【図４】図１の線Ａ−Ａに沿った断面図である。
【図５】リンクロッドと接続する放射伝導性シートの実施形態を示す略図である。
【図６】放射伝導性シートに開けられた穴の実施形態を示す略図である。
【図７】放射伝導性シートに開けられた穴（スロット）の別の実施形態を示す略図である。
【国際公開パンフレット】
2004526114.tif 000003
2004526114.tif 000004
2004526114.tif 000005
2004526114.tif 000006
2004526114.tif 000007
2004526114.tif 000008
2004526114.tif 000009
2004526114.tif 000010
2004526114.tif 000011
2004526114.tif 000012
2004526114.tif 000013
2004526114.tif 000014
【国際調査報告】
2004526114.tif 000015
2004526114.tif 000016